(57)【要約】【課題】固定作業を簡素化する。【解決手段】ワイヤハーネス１は、所定位置にテープ３で取り付けられた、ワイヤハーネス１の長手方向の所定範囲に取り付けられたワイヤハーネス１の直径よりも幅広な弾性板状部材としてのフィルム板２と、取付クリップ４とを備え、フィルム板２取付部分は、フレーム５の収納空間７内に収容されている。フィルム板２は、収納空間７内で復元力により元の状態に戻ろうとして挿通空間７の内壁７ａに引っ掛かる。このため、ワイヤハーネス１のフィルム板２取付部分がフレーム５に固定される。【選択図】　図２
2004104867.tif 000002
【特許請求の範囲】
【請求項１】
ワイヤハーネスの被取付部材への固定構造であって、
前記ワイヤハーネスの長手方向の所定範囲に取り付けられた前記ワイヤハーネスの直径よりも幅広な弾性板状部材を備え、
前記被取付部材は、
内部に前記ワイヤハーネス及び前記弾性板状部材を収納可能な収納空間を有し、その両端に前記ワイヤハーネスを挿通するための挿通穴を備え、
前記弾性板状部材が前記収納空間の内壁に引っ掛かった状態で前記弾性板状部材が前記収納空間に収納されている
ことを特徴とするワイヤハーネスの固定構造。
【請求項２】
前記弾性板状部材は、フィルム材であることを特徴とする請求項１記載の固定構造。
【請求項３】
前記挿通穴は、前記ワイヤハーネスの直径よりも大きい内径を有し、且つ前記挿通穴を結ぶ方向と直交する方向の前記収納空間の断面積よりも小さい開口面積を有するものであることを特徴とする請求項１又は２記載の固定構造。
【請求項４】
ワイヤハーネスの被取付部材への固定方法であって、
前記ワイヤハーネスの長手方向の所定範囲に取り付けられた前記ワイヤハーネスの直径よりも幅広な弾性板状部材を備え、
前記被取付部材は、
内部に前記ワイヤハーネス及び前記弾性板状部材を収納可能な収納空間を有し、その両端に前記ワイヤハーネスを挿通するための挿通穴を備え、
前記弾性板状部材を前記本体部の幅方向に巻き付けた状態で前記ワイヤハーネスを前記挿通穴を介して前記収納空間に挿通させた後に前記弾性板状部材の巻付け状態を解除し、
前記弾性板状部材を前記収納空間の内壁に引っ掛けることにより前記ワイヤハーネスを前記被取付部材に固定する
ことを特徴とするワイヤハーネスの固定方法。
【請求項５】
前記弾性板状部材を前記本体部の幅方向に巻き付けてこの巻付け状態を保持部材により保持し、
前記ワイヤハーネスを前記挿通穴を介して前記収納空間に挿通させた後に前記保持部材による前記弾性板状部材の巻付け状態を解除し、
前記弾性板状部材を前記収納空間の内壁に引っ掛けることにより前記ワイヤハーネスを前記被取付部材に固定する
ことを特徴とする請求項４記載の固定方法。
【請求項６】
前記保持部材は、紙粘着テープであることを特徴とする請求項５記載の固定方法。
【発明の詳細な説明】
【０００１】
【発明の属する技術分野】
この発明は、自動車のフレーム等の被取付部材に配索され、ランプやモータ等の電装部品間を接続するワイヤハーネスの固定構造及び方法に関し、特に固定作業を簡素化することができるワイヤハーネスの固定構造及び方法に関する。
【０００２】
【従来の技術】
従来より、ワイヤハーネスを自動車のフレーム等の被取付部材に固定する場合、被取付部材に取付穴などの取付部を設け、ワイヤハーネスにクリップ等の取付部材を取り付けた後、取付部に取付部材を取り付けて固定したり、被取付部材内にワイヤハーネスを挿通したうえで固定部材により固定したりして固定している（例えば、特許文献１参照。）。
【０００３】
【特許文献１】
特開５−７６１２１号公報（第３−４頁、第１−５図）
【０００４】
【発明が解決しようとする課題】
しかしながら、ワイヤハーネスに取付部材を取り付けて被取付部材に固定するには、ワイヤハーネスの他に別途取付部材などの部品を取り付ける取付作業と、ワイヤハーネス自体を取り付ける取付作業とが必要となるため、作業工数が多くなるという問題がある。
【０００５】
この発明は、このような問題点に鑑みてなされたもので、固定作業を簡素化することができるワイヤハーネスの固定構造及び方法を提供することを目的とする。
【０００６】
【課題を解決するための手段】
この発明に係るワイヤハーネスの固定構造は、ワイヤハーネスの被取付部材への固定構造であって、前記ワイヤハーネスの長手方向の所定範囲に取り付けられた前記ワイヤハーネスの直径よりも幅広な弾性板状部材を備え、前記被取付部材は、内部に前記ワイヤハーネス及び前記弾性板状部材を収納可能な収納空間を有し、その両端に前記ワイヤハーネスを挿通するための挿通穴を備え、前記弾性板状部材が前記収納空間の内壁に引っ掛かった状態で前記弾性板状部材が前記収納空間に収納されていることを特徴とする。
【０００７】
この発明に係るワイヤハーネスの固定方法は、ワイヤハーネスの被取付部材への固定方法であって、前記ワイヤハーネスの長手方向の所定範囲に取り付けられた前記ワイヤハーネスの直径よりも幅広な弾性板状部材を備え、前記被取付部材は、内部に前記ワイヤハーネス及び前記弾性板状部材を収納可能な収納空間を有し、その両端に前記ワイヤハーネスを挿通するための挿通穴を備え、前記弾性板状部材を前記本体部の幅方向に巻き付けた状態で前記ワイヤハーネスを前記挿通穴を介して前記収納空間に挿通させた後に前記弾性板状部材の巻付け状態を解除し、前記弾性板状部材を前記収納空間の内壁に引っ掛けることにより前記ワイヤハーネスを前記被取付部材に固定することを特徴とする。
【０００８】
この発明によれば、ワイヤハーネスに備えられた弾性板状部材が、被取付部材の収納空間の内壁に引っ掛かることによりワイヤハーネスが被取付部材に固定される。また、この発明によれば、例えばワイヤハーネスに備えられた弾性板状部材をワイヤハーネスに巻き付けて被取付部材の収納空間内に収納するため、この収納空間内で弾性板状部材が復元力により元の状態に戻ろうとして収納空間の内壁に引っ掛かりワイヤハーネスが被取付部材に固定される。これにより、ワイヤハーネスの被取付部材への固定作業を簡素化することが可能となる。
【０００９】
なお、弾性板状部材は、例えばポリエチレンテレフタレート（ＰＥＴ）、ポリエチレンナフタレート（ＰＥＮ）、ポリイミド（ＰＩ）及びポリオレフィン（ＰＯ）などの樹脂からなるフィルム材であることが好ましい。
【００１０】
また、保持部材は、例えば紙粘着テープであることが好ましい。
【００１１】
なお、挿通穴は、ワイヤハーネスの直径よりも大きい内径を有し、且つ挿通穴を結ぶ方向と直交する方向の収納空間の断面積よりも小さい開口面積を有するものであることが好ましい。このように構成すれば、収納空間内で元の状態に戻ろうとする弾性板状部材が挿通穴から外部に出難い状態を形成し、ワイヤハーネスの固定状態を安定させることができる。
【００１２】
【発明の実施の形態】
以下、添付の図面を参照して、この発明の好ましい実施の形態を説明する。
図１は、この発明の一実施形態に係るワイヤハーネスの固定構造を説明するためのワイヤハーネスの一部拡大図、図２は、ワイヤハーネスの固定構造を説明するための全体図及びＡ−Ａ´断面図である。
図１に示すように、ワイヤハーネス１は、所定位置にテープ３で取り付けられた、ワイヤハーネス１の長手方向の所定範囲に取り付けられたワイヤハーネス１の直径よりも幅広な弾性板状部材としてのフィルム板２と、図２（ａ）に示すように、所定位置にテープ３で取り付けられた取付部材としての取付クリップ４とを備えて構成されている。一方、被取付部材としてのフレーム５は、ワイヤハーネス１を挿通するための複数の挿通穴６ａ，６ｂと、これら挿通穴６ａ，６ｂと連通する収納空間７とを備えて構成されている。なお、フレーム５としては、例えば自動車のピラー部分などが考えられる。
【００１３】
ワイヤハーネス１に取り付けられたフィルム板２は、例えばＰＥＴ、ＰＥＮ、ＰＩ及びＰＯなどの絶縁樹脂フィルムを板状に成形した構造からなる。同図（ｂ）に示すように、フレーム５の収納空間７内に収容されたフィルム板２は、復元力により図中白抜き矢印方向に広がって元の状態に戻ろうとして収納空間７の内壁７ａに引っ掛かり、これにより、収納空間７内に収納された部分のワイヤハーネス１がフレーム５に固定される。一方、収納空間７の外部に配索されるワイヤハーネス１は、例えば取付クリップ４によりフレーム５に固定される。
【００１４】
このワイヤハーネス１のフィルム板２取付部分をフレーム５の収納空間７内に固定する作業は、例えば図３に示すように行われる。即ち、同図（ａ）に示すように、ワイヤハーネス１に取り付けられたフィルム板２を、挿通穴６ａ，６ｂを十分通る大きさとなるようにワイヤハーネス１に巻き付け、保持部材としての紙粘着テープ９ａ，９ｂでその巻付け状態を保持し、ワイヤハーネス１の一方の端部からフレーム５の収納空間７内に挿入する。そして、同図（ｂ）に示すように、巻付け状態のフィルム板２が収納空間７内に入ったときに、一方の紙粘着テープ９ａを破り、更に同図（ｃ）に示すように、完全にフィルム板２を収納空間７内に収める前にもう一方の紙粘着テープ９ｂを破って、同図（ｄ）に示すように、フィルム板２が取り付けられた部分のワイヤハーネス１を収納空間７内に収容すれば良い。なお、フィルム板２の巻付け状態を保持するための紙粘着テープ９は、一箇所だけに貼り付けるようにしても良い。
【００１５】
【発明の効果】
以上述べたように、この発明によれば、ワイヤハーネスに備えられた弾性板状部材が、被取付部材の収納空間の内壁に引っ掛かることによりワイヤハーネスが被取付部材に固定される。また、この発明によれば、例えばワイヤハーネスに備えられた弾性板状部材をワイヤハーネスに巻き付けて被取付部材の収納空間内に収納するため、この収納空間内で弾性板状部材が復元力により元の状態に戻ろうとして収納空間の内壁に引っ掛かりワイヤハーネスが被取付部材に固定される。これにより、ワイヤハーネスの被取付部材への固定作業を簡素化することが可能となるという効果を奏する。
【図面の簡単な説明】
【図１】この発明の一実施形態に係るワイヤハーネスの固定構造を説明するためのワイヤハーネスの一部拡大図である。
【図２】同ワイヤハーネスの固定構造を説明するための全体図及びＡ−Ａ´断面図である。
【図３】同ワイヤハーネスの固定作業を説明するための図である。
【符号の説明】１…ワイヤハーネス、２…フィルム板、３…テープ、４…取付クリップ、５…フレーム、６…挿通穴、７…収納空間、９…紙粘着テープ。
【図１】
2004104867.tif 000003
【図２】
2004104867.tif 000004
【図３】
2004104867.tif 000005